(57)【特許請求の範囲】
【請求項１】
容量性情報担体（１）であって、
非導電性基板（２）上に少なくとも１つの導電性タッチ構造体（３）が配置され、
該導電性タッチ構造体（３）は、少なくともタッチポイント、結合面（カップリング面ともいう）（５）及び／又は導体経路（４）を含み、さらに、該タッチポイントの寸法は１〜２０ｍｍであり、該結合面は少なくとも１つの該導体経路を介して少なくとも１つのタッチポイントに接続され及び／又はタッチポイントの一部が結合面であり、結合面（５）は前記導電性タッチ構造体（３）の構成部分ではない外部から静電容量を結合（カプリングともいう）することを可能とし、
該導電性タッチ構造体（３）は、指先の配列及び／又は特性を模倣する導電層に設計された導電性である、ことを特徴とする、容量性情報担体。
【請求項２】
容量性情報担体（１）であって、
前記接着剤は導電性接着剤であることを特徴とする、請求項１に記載の容量性情報担体。
【請求項３】
容量性情報担体（１）であって、
少なくとも前記タッチ構造体（３）は更なる層によって覆われることを特徴とする、請求項１又は２のいずれか一項に記載の容量性情報担体。
【請求項４】
容量性情報担体（１）であって、
前記タッチ構造体（３）を覆う前記更なる層は紙層、フィルム層、塗料層、ラッカー層及び／又はそれらの組み合わせであることを特徴とする、請求項３に記載の容量性情報担体。
【請求項５】
容量性情報担体（１）であって、
該情報担体は、前記基板（２）を完全に、又は部分的に覆う少なくとも１つのカバー層（６）を有することを特徴とする、請求項１〜４のいずれか一項に記載の容量性情報担体。
【請求項６】
容量性情報担体（１）であって、
該情報担体（１）は物品（７）に接続されるか、又は該物品（７）自体が基板（２）としての役割を果たすことを特徴とする、請求項１〜５のいずれか一項に記載の容量性情報担体。
【請求項７】
容量性情報担体（１）であって、
前記付着されたタッチ構造体（３）は、インクジェット法によって、又はレーザー法によって、アディティブ法及び／又はサブトラクティブ法を用いて、その構造化に関して或る特定のエリアにおいて変更可能であることを特徴とする、請求項１〜６のいずれか一項に記載の容量性情報担体。
【請求項８】
情報を取得するためのシステムであって、
ａ．請求項１〜７のいずれか一項に記載の少なくとも１つの容量性情報担体（１）と、
ｂ．少なくとも１つの容量性エリアセンサー（９）と、
ｃ．ａ．とｂ．との間の静的接触及び／又は動的接触であって、これを通じて、容量性相互作用が達成される、静的接触及び／又は動的接触とを含む、情報を取得するためのシステム。
【請求項９】
前記容量性相互作用を通じて、前記情報担体（１）の前記タッチ構造体（３）は、前記エリアセンサー（９）に接続されるデータ処理システムにとって評価可能であり、前記データ処理システムは、前記情報担体（１）に関連付けられるイベントをトリガーすることができることを特徴とする、請求項８に記載のシステム。
【請求項１０】
前記エリアセンサー（９）及び／又は該エリアセンサーを含む前記デバイス（８）は容量性タッチスクリーン及び／又はタッチパッドを備え、スマートフォン、携帯電話、ディスプレイ、タブレットＰＣ、タブレットノートブック、タッチパッドデバイス、グラフィックスタブレット、テレビ、ＰＤＡ、ＭＰ３プレーヤー、トラックパッド及び容量性入力デバイスを含むグループから選択されることを特徴とする、請求項８又は９に記載のシステム。
【請求項１１】
少なくとも１つの情報担体（１）は少なくとも或る特定のエリアにおいて少なくとも１つのエリアセンサー（９）と接触していることを特徴とする、請求項８〜１０のいずれか一項に記載のシステム。
【請求項１２】
前記エリアセンサー（９）は、前記情報担体（１）に対して動く際に、該情報担体（１）から完全又は部分的な情報を徐々に受信することを特徴とする、請求項８〜１１のいずれか一項に記載のシステム。
【請求項１３】
複数の情報担体（１）が、組み合わせて又は、隣同士に、及び／又は上下に、及び／又は時系列で組み合わせて読み取られることを特徴とする、請求項８〜１２のいずれか一項に記載のシステム。
【請求項１４】
情報を取得するためのシステムであって、請求項１〜７のいずれか一項に記載の容量性情報担体を含み、
ａ．少なくとも１つの容量性情報担体（１）であって、該情報担体は非導電性基板（２）を有し、該非導電性基板は少なくとも１つの導電性タッチ構造体（３）を備える、少なくとも１つの容量性情報担体（１）と、少なくとも１つの容量性タッチセンサー（９）とを設けることと、
ｂ．前記少なくとも１つの情報担体（１）を前記少なくとも１つのエリアセンサー（９）と接触させることであって、該接触は静的及び／又は動的とすることができる、接触させることと、
ｃ．前記エリアセンサー（９）と前記情報担体（１）との間の容量性相互作用をトリガーすることであって、該容量性相互作用を通じて、前記情報担体（１）の前記タッチ構造体（３）は前記エリアセンサー（９）に接続されるデータ処理システムにとって評価可能になり、前記情報担体（１）に関連付けられるイベントをトリガーすることができる、情報を取得するためのシステム。
【請求項１５】
前記情報担体（１）はデータ処理システム内のデータセットに割り当てられ、該データセットは一定のままである、請求項１４に記載のシステム。
【請求項１６】
前記情報担体（１）はデータ処理システム内のデータセットに割り当てられ、該データセットは変化する、請求項１４に記載のシステム。
【請求項１７】
前記情報担体（１）は、エリアセンサー（９）に関連して、前記タッチ構造体（３）を介してデータ処理システムの動作に割り当てられるか、又は該動作をトリガーすることを特徴とする、請求項１４〜１６のいずれか一項に記載のシステム。
【請求項１８】
少なくとも２つの情報担体（１）が組み合わせられ、該組み合わせを通じて、イベントがトリガーされることを特徴とする、請求項１４〜１７のいずれか一項に記載のシステム。
【請求項１９】
導電性インクを使うことによって又は転写フィルム法によって作製される請求項１〜７のいずれか一に記載の容量性情報担体（１）の製造方法であって、該転写フィルム法は、以下の方法を含む；
ａ．ロール上に転写フィルムを設けるステップであって、該転写フィルムは担体フィルムと、少なくとも或る特定のエリアにおいて該担体フィルム上に配置される導電性転写層とを含む、設けるステップと、
ｂ．非導電性基板を設けるステップと、
ｃ．接着剤を供給するステップと、
ｄ．前記基板上に、及び／又は前記転写フィルム上に、構造化されるようにｃ）による前記接着剤を塗布するステップと、
ｅ．前記基板上に、前記転写フィルムを塗布するステップを含み、
前記非導電性基板上の、少なくとも或る特定のエリアにおいて、タッチ構造体（３）として導電層が配置される。
【発明の詳細な説明】
【技術分野】
【０００１】
本発明は、少なくとも１つの導電性タッチ構造体が非導電性基板上に配置される容量性情報担体を記述する。また、本発明は、容量性情報担体と、容量性エリアセンサーと、双方の要素の間の接触と、情報担体のタッチ構造体を、エリアセンサーに接続されたデータ処理システムにとって評価可能とするとともに、情報担体に関連したイベントをトリガーすることができる相互作用とからなる、情報を取得するためのシステム及び方法を含む。
【０００２】
本発明の意味では、情報担体は、詳細には、情報を記憶し、イメージングし、ファイリングし、及び／又は割り当てるための媒体である。
【０００３】
本発明の意味では、容量性エリアセンサーは、詳細には、画定されたエリアのサブエリア内の電気静電容量及び／又は静電容量差を取得するための物理インターフェースである。エリアセンサーを含むデバイスには、例えば、スマートフォン、移動電話、ディスプレイ、タブレットＰＣ、タブレットノートブック、タッチパッドデバイス、グラフィックスタブレット、テレビ、ＰＤＡ、ＭＰ３プレーヤー、トラックパッド及び／又は容量性入力デバイスが含まれる。そのようなエリアセンサーは、例えば、タッチスクリーン、タッチパッド又はグラフィックスタブレットとして、入力デバイスの一体部分となることもできる。タッチスクリーンは、触覚性スクリーン又はタッチセンサースクリーンとしても知られている。そのような入力デバイスは、中でも、スマートフォン、ＰＤＡ、タッチディスプレイ又はノートブックにおいて用いられる。
【背景技術】
【０００４】
容量性情報の取得及び読み取りのための既知のリーダー又は装置は、この目的のみを有する個別のデバイスを表す。従来技術に開示されているリーダー又は装置の不都合な点は、個別の用途に対して常に別個の容量性リーダーが利用可能でなければならず、これらの容量性リーダーが多くの場合にインターフェースを介してデータ処理媒体に接続されるということである。このため、リーダーの流通及び受け取りは、比較的不十分であり、リーダーの購入は追加のコストを伴う。さらに、実際の印刷情報をデジタル情報とリンクすることは、実施するのが非常に難しい。１つの可能性のあるものはバーコードであり、バーコードは、適したスキャナー又はカメラによって取得することができ、デジタルコンテンツを呼び出すことができる。既知のバーコードの不都合な点は、バーコードがシステム特有の欠点を伴い、例えば、情報が自由自在にコピーされる可能性があり、製品又は広告媒体上のスペースを視覚的に占有し、十分に良い品質で個別化するのが困難であり、コードと取得ユニットとの間に直接的な光学的接触が必要であり、これによって、汚れ、傷、光の状態等に起因して、情報の正確な取得及び読み取りが困難になるか又は完全に妨げられる可能性があるということである。以前から知られている容量性データ担体は、リーダー内において（少なくとも）１つの読み取り電極と１つの受信電極との間を常にブリッジする。容量性構造体の有無に応じて、論理「１」及び／又は「０」が識別される。
【０００５】
従来技術は、印刷技術又は他のコーティング方法を用いて情報担体を作製する複数の可能性を示しており、その情報担体は、適切な読み取り方法又はリーダーを用いて読み取ることができる（例えば、特許文献１）。そのようにして作製される、おそらく最も一般的な情報担体は、実施の形態において、１次元バーコードとして、又は、例えば、２次元の変形形態として具現されるバーコードである。それらのバーコードは適切な光学スキャナーを用いて取得され、必要に応じて、適当なデータ処理システムを介して更に処理される。
【０００６】
そのような特徴部を製造するための印刷技術及び被覆技術も、同様に開発が続けられている。したがって、特許文献２は、シート処理機における、１つの担体フィルム又は転写フィルムから印刷シートへ像形成層を転写するための方法を記載している。ここで、第１の付着ステーションにおいて接着剤が付着され、転写フィルムとともに更なる被覆ステーションにもたらされ、転写フィルムからの材料が接着によって印刷シートに付着される。このプロセスでは、付着ステーション内に転写ギャップが形成され、転写フィルムが、プレスロールの表面に沿って、印刷シートの転写材料をコーティングされた側に載置され、加圧されたまま印刷シートとともに上記転写ギャップを通じて送られ、それにより、接着剤で覆われたエリアにおいて、イメージング層が担体フィルムから印刷シート上に転写され、その上に接着される。このようにして、バーコード及び文字数字情報を容易に付着させることができる。
【０００７】
さらに、従来技術の平坦印刷された（flatprinted）材料は、特許文献３、特許文献１、特許文献４及び特許文献５に開示されている。これらの材料は、データの確実な検証又は有効性確認を可能にする。これは、薬品及びそれらのパッケージに有意義であり得るが、宝くじにも有意義であり得る。印刷された情報は、例えば、認証を確実にするか又は有効性チェックとして役立つ。また、容量性読み取り可能情報担体は、中でも、特許文献１の用途（永久情報ストア）及び特許文献４の用途（パーキングシステム）から知られている。最後に挙げた例では、パーキングメーターのための容量性構造体の処理及び可変性が示されている。機械ユニットによって、リーダー内の容量性構造体が連続的に変化し、したがって、その「内部値」が変化する。この構造体の個別化は提供されない。完結したシステムは、他のシステムとも、他のデータ処理とも、他のデータ記憶装置とも相互作用しない自給自足型のシステムである。特許文献１には、例えば、スクリーン印刷、フレキソ印刷及びグラビア印刷等の印刷技法によって製造が可能であることが列挙されている。この記載は、印刷プロセスに適した液体処理可能な材料に関するものである。これは、そのような液体処理可能なインクに関連付けられる全ての問題を伴う。それらの要件を満たすインクは非常に高価であり、溶媒を含み、保管寿命が限られており、プロセスに関連する問題を引き起こす。付着した導体トラックの分離技法を用いて、個別化が実行される。その読み取り方法は、位置に大きく依存し、リーダー内の情報担体の固定された読み取り位置に関連付けられる。
【０００８】
要するに、情報担体について従来技術で提案された解決策は複数の問題点を有している。例えば、これらの解決策は、大量に適用できるほど十分に安価ではなく、それらの複雑な構造のために部分的にしかリサイクルすることができず（ＲＦＩＤシステム）、場合によってはコピーするのが容易である可能性があり（バーコード）、最終製品への取り付けによって高い経費を生み出し、印刷技術を用いて処理するのが難しいか又は全く処理できない（チップカード）。
【先行技術文献】
【特許文献】
【０００９】
【特許文献１】米国特許第３，７１９，８０４号
【特許文献２】欧州特許第１８０３５６２号
【特許文献３】米国特許第５，８１８，０１９号
【特許文献４】米国特許第４，５８７，４１０号
【特許文献５】米国特許出願公開第２００６／０１１８６１２号
【発明の概要】
【発明が解決しようとする課題】
【００１０】
この従来技術に基づいて、本発明の目的は、少なくとも１つのイベントをトリガーするための、容量性エリアセンサーのための容易に実現可能な容量性情報担体を提供することである。
【００１１】
イベントは、本発明の意味では、特に、好ましくはアプリケーション内で動作、したがって、状態の変化をトリガーするものを意味する。これらのイベントは、例えば、ユーザー入力又はシステムイベントとすることができる。これらのイベントは、好ましくは、デバイス自体がエリアセンサーを担持する当該デバイス上でトリガーされる。これらのデバイスは、例えば、スマートフォン、携帯電話、ディスプレイ、タブレットＰＣ、タブレットノートブック、タッチパッドデバイス、グラフィックスタブレット、テレビ、ＭＰ３プレーヤー、トラックパッド及び容量性入力デバイスであるが、これらに限定されるものではない。
【課題を解決するための手段】
【００１２】
この目的は、独立請求項によって達成される。好ましい例示的な実施の形態は、従属請求項から生じる。
【００１３】
本発明による容量性情報担体、本発明によるシステム、並びに情報担体及びシステムの使用、更には情報を取得するための本発明による方法によって、従来技術の不都合な点を克服できたのは全く驚くべきことであった。
【００１４】
したがって、少なくとも１つの導電性基板がタッチ構造体として非導電性基板上に配置される容量性情報担体が提供される。そのタッチ構造体は、少なくとも１つのタッチポイント、１つの結合面及び／又は１つの導体経路を備えることが好ましい。
【００１５】
本発明の意味では、結合面は詳細には基板上の導電性エリアである。結合面は、本発明による情報担体の好ましい変形形態を表しており、例えば、タッチ構造体の一部ではない外部の電気静電容量への結合を可能にし、それゆえ、情報担体のタッチ構造体の実効的な電気静電容量を高めることを可能にする。結果として、その情報担体は、特に安全かつ確実に読み取ることができる。これは、人が情報担体に接触するか、又は接近するときに、及びまた、物体による結合を通じて行うことができる。
【００１６】
導体経路は導電層からなることが好ましく、２つ又は複数のサブエリア間に電気的接続を確立することが好ましい。
【００１７】
有利には、好ましい実施の形態では、基板は、プラスチック、紙、厚紙、木質系材料、複合材料、ガラス、セラミックス、織物、皮革又はそれらの組み合わせからなる。基板は、特に、好ましくは可撓性であるとともに低重量である非導電性物質である。光透過性基板又は不透明な基板を用いることができる。好ましいプラスチックは、特に、ＰＶＣ、ＰＥＴＧ、ＰＶ、ＰＥＴＸ、ＰＥ及び合成紙を含む。
【００１８】
導電層は、金属層、金属粒子を含む層、導電性粒子を含む層、導電性ポリマー層又は少なくとも１つのこれらの層の組み合わせからなる層であることが好ましい。導電性粒子は、特にすす及びグラファイト粒子である。本発明の意味では、ポリマーは、特に、化学的に一様に構造化されているが、しかしながら、通常は重合度、モル質量及び鎖長に関して異なる高分子（ポリマー分子）の集合体からなる物質を意味する。ポリマーは好ましくは導電性である。そのような均一ポリマーを有する物質では、全ての高分子は、好ましくは同一に構造化されて、それらの高分子の鎖長（重合度）のみが異なる。そのようなポリマーは重合体同族列を意味することができる。ポリマーは、無機ポリマー、有機金属ポリマー、全体的又は部分的な芳香族ポリマー、ホモポリマー、コポリマー、バイオポリマー、化学修飾ポリマー及び／又は合成ポリマーを含む群から選択することができる。パラフェニレン、ポリアセチレン、ポリピロール、ポリチオフェン、ポリアニリン（ＰＡＮＩ）及びＰＥＤＯＴから選択されたポリマーが特に好ましい。したがって、情報担体は、量産法によって価格効果の良い方法で製造することができる。
【００１９】
本発明によれば、タッチ構造体は、特に、構造化するようにして付着された導電性材料の層である。導電率及び構造というこれらの２つの特性の本発明による組み合わせを通じて、驚くべきことに、タッチ構造体と容量性有効エリアとの特定の相互作用を達成することが可能であった。
【００２０】
タッチポイント、導電経路及び結合面は、好ましくは、同じ又は類似の導電性材料からなることができるので、情報担体は、好ましくはたった１つの技術的方法を用いることによって製造することができる。その結果、情報担体は、量産品として容易かつ経済的に実現することができる。本発明の好ましい実施の形態では、少なくとも１つの結合面を有するタッチ構造体が基板上に配置され、その結合面は少なくとも１つの導体経路を介して少なくとも１つのタッチポイントに接続されること、及び／又はタッチポイントの一部が結合面であることを提供することができる。
【００２１】
本発明の意味では、タッチ構造体は詳細には署名又は印鑑を意味することができる。導電率及び構造というこれらの２つの特性の本発明による組み合わせを通じて、驚くべきことに、タッチ構造体とエリアセンサーの容量性有効エリアとの特定の相互作用を達成することが可能であった。したがって、そのタッチ構造体の構造は、エリアセンサーに接続されるデータ処理システムにとって評価可能である。有利には、付着したタッチ構造体は、アディティブ法及び／又はサブトラクティブ法によって、好ましくはインクジェット法によって、特に好ましくはレーザー法によって、特定のエリアにおいてその構造化に関して変更可能にすることができる。
【００２２】
好ましい実施の形態では、タッチ構造体は基板上に印刷された層である。印刷法を用いて基板上にタッチ構造体を付着させることができるのは全く驚くべきことであった。情報担体は当業者にとって既知である印刷法、好ましくはアディティブ法及び／又はサブトラクティブ法によって作製されることが好ましい。大量生産法を用いて情報担体を作製することができるので、これは従来技術よりも優れた大きな利点である。有利には、タッチ構造体は、アディティブ法又はサブトラクティブ法を用いて、容易に、かつ経済的に有利に実現することができる。
【００２３】
しかしながら、タッチ構造体は転写法を用いて基板上に転写されることも好ましい。好ましくは、タッチ構造体上に基板を付着させることは、それ自体が既知である転写法を通じて行うことができる。ここでは、好ましくは、これは転写フィルム法に関係し、特に好ましくはコールドフィルム転写法に関係する。そのような方法は当業者には既知であり、当業者は、印刷法を用いて、特に或る特定のエリアにおいて、物質（例えば、タッチ構造体等）を構造化するようにして基板上に付着させることができることを知っている。この際、基板はタッチ構造体によって表面全体にわたって覆われるのではなく、タッチ構造体は基板の或る特定のエリア上にのみに付着する。当然、層を構造化するようにして付着させるための他の方法を用いることもできる。
【００２４】
さらに、転写フィルム法を用いて作製される容量性情報担体が提供される。この転写フィルム法は、
ａ．ロール上に転写フィルムを設けるステップであって、転写フィルムは担体フィルムと、少なくとも或る特定のエリアにおいて担体フィルム上に配置される導電性転写層とを含む、設けるステップと、
ｂ．非導電性基板を設けるステップと、
ｃ．接着剤を供給するステップと、
ｄ．基板上に、及び／又は転写フィルム上に、構造化されるようにｃ）による接着剤を塗布するステップと、を含み、
非導電性基板上の、少なくとも或る特定のエリアにおいて、タッチ構造体として導電層が配置される。少なくともタッチ構造体は更なる層によって覆われることが好ましい。
【００２５】
情報担体は、少なくとも或る特定のエリア内に接着剤が塗布された非導電性基板と、接着剤への接着を通じて一致するように付着する、少なくとも単一の層を有する導電層とを含むことが好ましく、接着剤及び導電層は、転写法によって、好ましくは転写フィルム法によって、特に好ましくはコールドフィルム転写法によって付着した層であり、導電層はタッチ構造体として構成され、少なくともタッチ構造体は更なる層で覆われる。
【００２６】
導電層を構造化することは、詳細には、接着剤を介して行われ、その接着剤は導電性接着剤であることが好ましい。その接着剤は或る配置又はレイアウトで基板（プリント基板）上に直接付着し、その後、転写フィルムと接触するように導かれる。有利には、接着剤を塗布すること、及び基板と転写フィルムとを接合することは、１つの機械内で実行することができる。転写フィルム自体は少なくとも２つの層、すなわち、転写可能層（＝転写層）及びその層を支持する更なる担体材料（キャリアフィルム）からなる。２つの層の結合は、接着剤を用いて基板上に転写層を転写することが問題なく可能であるように構成され、したがって、基板及び転写層への接着剤の接着は、転写層の粘着、及び担体材料上の転写層の接着よりも強くしなければならない。材料転写が完了すると、基板材料は、構造化されるようにして塗布された接着剤と、同様に、その接着剤を覆う転写層としての転写材料とを含み、転写材料もこの時点で構造化される。これは、圧力、温度の助け、及び、エンボススタンプ、コンタクトプレス等の機械的な補助手段の助けを借りて容易にすることができる。このようにして、情報担体を設けることができ、そのレイアウト及び転写材料の材料特性に起因して、結果として、適切なリーダーにおいて特定することができるか、又はエリアセンサーと相互作用することができる容量性読み取り可能構造が形成される。少なくともタッチ構造体を形成する層は、少なくとも或る特定のエリアにおいて更なる層で覆われることが好ましく、その層は紙層、フィルム層、塗料層、ラッカー層及び／又はそれらの組み合わせであることが好ましい。本発明の意味では、更なる層はカバー層を意味することもできる。カバー層は、基板（２）を完全に、又は部分的に覆う少なくとも１つのカバー層（６）でありうる。カバー層は、情報担体のタッチ構造体の保護として、又は遮蔽するために都合良く用いることができる。好ましい変形形態では、このカバー層はカバープレートとして実現することもできる。カバープレートは硬質又は軟質の材料からなることができる。
【００２７】
更なる好ましい実施の形態では、指先の配列及び／又は特性を模倣する少なくとも１つの導電性タッチ構造体が非導電性基板上に配置される。指先の配列及び／又は特性を模倣するタッチ構造体の更なる特性は、そのような構造体が、エリアセンサーに接続されるデータ処理システムによって簡単に評価されることができ、ソフトウェアを通じて更に良好に処理されることができるので、ここでは特に有利である。
【００２８】
容量性エリアセンサーは、本発明の意味では、特にタッチスクリーンと呼ぶことができる。
【００２９】
従来技術では、そのようなタッチスクリーンは、特に、能動回路であるタッチスクリーンを備え、タッチスクリーンは電極構造体に接続される。これらの電極は、通常、送信電極と受信電極とに分けられる。タッチコントローラーは、好ましくは、信号が、１つ又は複数の送信電極と１つ又は複数の受信電極との間でその都度送信されるように電極を制御する。タッチスクリーンの休止状態では、例えば信号は一定のままである。従来技術に記載されているタッチスクリーンの目的は、特に、タッチスクリーンの表面上における指及びその位置を認識することである。ここで、指の作用は、電極間の信号を変化させる。信号強度は通常、減少する。この理由は、上に置かれた指が送信電極からの信号の一部を吸収し、したがって、受信電極に到達する信号が弱くなるからである。
【００３０】
タッチ構造体の有利な特性はその導電率である。タッチ構造体を有する好ましい情報担体が、指の代わりにエリアセンサーと接触される場合、導電性エリアは、好ましくは、指と同じ効果を引き起こす。しかしながら、一方で、指の作用に匹敵する効果は、タッチコントローラーに最適に認識可能であるように、或る特定の位置で、特にタッチポイントにおいて最大化されるべきであるので、導電性構造体はエリアごとに構造化される。したがって、有利には、タッチ構造体は、エリアセンサーに接続されたデータ処理システムにとって評価可能となる。
【００３１】
更なる好ましい実施の形態では、指先の配置及び／又は特性を模倣する少なくとも１つの導電性タッチ構造体が非導電性基板上に配置される。タッチ構造体は、少なくとも１つのタッチポイント、１つの導電トレース及び／又は１つの結合面を含む。タッチ構造体における少なくとも１つ又は複数のタッチポイントの組み合わせが、指先の配置及び／又は特性を模倣することが好ましい。本明細書の意味では、好ましくは少なくとも１つの結合面、特に好ましくは少なくとも１つの導体経路、更に好ましくは少なくとも１つのタッチポイントを含むタッチ構造体を用いて、指と同じように、エリアセンサーへの入力を実行することができる。このために、本発明の好ましい実施の形態は、タッチ構造体が指先の特性を模倣するという事実によって記述することができ、これは、好ましくは、タッチ構造体が、指と同じように、エリアセンサーへの入力を実行することができるというタッチ構造体の特性を意味する。指先の配列及び／又は特性を模倣するタッチ構造体のこの更なる特性は、そのような構造体が、エリアセンサーに接続されるデータ処理システムによって簡単に評価されることができ、ソフトウェアを通じて更に良好に処理されることができるので、ここでは特に有利である。
【００３２】
これに関連して、情報担体上の導電性エリアを構造化することによって、タッチポイントが指先の特性を適切に模倣する。タッチスクリーン又はエリアセンサーへの入力は、１つ又は複数の指（シングルタッチ又はマルチタッチ）によって実行できることは当業者には既知である。エリアセンサーの技術及び入力の原理、すなわち、指の特性を通じて入力が行われる技術及び原理は当業者には既知である。例えば、指の電気的特性（例えば、導電率）は別として、密度、入力の圧力、又はエリアセンサーからの距離も入力に影響を及ぼすことができる。導電性エリアを構造化することによって、好ましいシステムは、エリアセンサーに指と同じ影響を及ぼし、すなわち、エリアセンサー上の位置への入力を達成し、その位置は情報担体の導電性エリアによって画定される。したがって、当業者であれば、実験に関して大きな労力を注ぐことなく、指又は指先の特性が模倣されるように情報担体のタッチ構造体を実現することができ、エリアセンサーへの入力は情報担体の導電性エリアによって達成することができる。
【００３３】
格子の形の電極配列を有する、いわゆるタッチスクリーンとの相互作用に関する好ましい情報担体の非限定的な一例では、例えば、タッチポイントの適切な構造化は、直径が１ｍｍ〜２０ｍｍ、好ましくは４ｍｍ〜１５ｍｍ、特に好ましくは６ｍｍ〜１０ｍｍの円である。タッチスクリーンは指先の位置を特定するのに適しているので、情報担体のタッチポイントは、同じようにしてタッチスクリーンによって特定することができる。タッチスクリーン又はエリアセンサーは、有利には、その入力が情報担体のタッチ構造体によって実行されたか、指によって実行されたかを区別することはできない。
【００３４】
本発明によれば、情報担体上に複数のタッチ構造体を付着させることが好ましい場合がある。有利には、情報を記憶するために、タッチ構造体の形状、向き、数量、位置合わせ、距離及び／又はサブエリアの位置を用いることができる。
【００３５】
有利には、更なる好ましい実施の形態によれば、導電性材料は基板上に印刷される層である。したがって、その層は、簡単で、かつ経済的に好ましいようにアディティブ法によって実現することができる。そのような方法は当業者には既知である。当然、導電層を構造化するようにして付着させるための他の全ての方法も用いることができる。
【００３６】
更なる好ましい実施の形態では、導電層はサブトラクティブ法を用いることによって実現され、その場合、層のエリアが除去される。このために、エッチング又はレーザーを用いる既知のアブレーション法が用いられる。レーザーアブレーションの場合、除去されることになる材料は、レーザービームの動作を通じて気化される。当然、更なる方法を用いることもできる。
【００３７】
情報担体若しくは一群の情報担体及び／又は本発明のシステムを、経済生活の数多くの分野で用いることができることは全く驚くべきことであった。これらの分野には、例えば、トランプ、トレーディングカード（collector cards：コレクターカード）、スタンプ、消印、郵便料金、商品ロジスティクス（goods logistics）、商品追跡、アクセス、チケット、閉鎖エリアへのアクセス、仮想コンテンツ、マーケティングアプリケーション、カスタマーロイヤルティ、宝くじ及び賭博行為、メンバー識別、定期券、支払いアプリケーション、鑑定書、証明書、偽造防止、コピー防止、署名、受領証、銀行報告、添付文書、コンピューターゲーム内のオブジェクト、音楽／ビデオ／電子ブックのダウンロード、ボーナスカード／プログラム、デバイスコントローラー又はギフトカードが含まれるが、これらに限定されるものではない。
【００３８】
情報担体は、或る物品に接続されるか又は基板としての機能を果たすその物品そのものであることが好ましい場合がある。本発明の意味では、物品を意味するのは、詳細には、物、対象物又は物体である。物品は、パッケージング、卓上食器、印刷製品、衣類、家具、書類、玩具、消費者商品、食品、半製品、機械部品、建設資材、使い捨て及び再利用容器、及び／又は電気デバイスを含むグループから選択されることが好ましい。原理的には、平坦でない物品も情報担体の直接担体とする（その物品が基板の機能を担う）ことができるか、又は情報担体をその物品に取り付けることができるか、若しくはその上に付着させることができるという点で間接担体とすることができる。取り付けること、又は付着させることは、例えば、自己接着するようにして、又は、例えば、織物上のラベルのような、他の既知の結合技術又は補助材料を用いて実行することができる。
【００３９】
有利には、少なくとも１つの情報担体は、少なくとも或る特定のエリアにおいて、少なくとも１つのエリアセンサーと接触する。このために、少なくとも１つの導電層が或る特定のエリアにおいて基板上に付着し、導電層の少なくとも１つのエリアがサブエリアである。本明細書の意味では、１つ又は複数のサブエリアは、タッチ構造体とも呼ばれる。タッチ構造体又はそのサブエリアの形状、向き、数量、位置合わせ、距離及び／又は位置は、少なくとも或る特定のエリアにおいてエリアセンサー上に情報担体を位置決めすることによって、又はエリアセンサーに対して情報担体の少なくとも１つのエリアを相対的に動かすことによって、少なくとも１つのイベントがトリガーされるような情報を形成することが好ましい。本発明の意味では、或る特定のエリアにおいてエリアセンサー上に情報担体を位置決めすることは、詳細には、情報担体の１つのエリアがエリアセンサーの少なくとも１つのエリアと接触することを意味する。
【００４０】
情報担体は、好ましくは、少なくとも１つのイベントがエリアセンサーによってトリガーされるようにエリアセンサーと接触される。
【００４１】
接触するとは、本発明の意味では、特に情報担体とエリアセンサーとの間に隙間がないことを意味する。これは、情報担体が好ましくはエリアセンサーに物理的に接触することを意味する。一方、情報担体とエリアセンサーとの間に直接的な接触がなく、イベントをトリガーするには接近で既に十分であることが好ましい場合もある。接近するとき、情報担体とエリアセンサーとの間の距離は０ｃｍ〜２ｃｍよりも大きいことが好ましい。
【００４２】
したがって、本発明は、少なくとも１つの容量性情報担体と、少なくとも１つの容量性エリアセンサーとを備えるシステムにも関連し、情報担体とエリアセンサーとの間で、接触又は接近が生じ、これを通じて、容量性相互作用が達成される。容量性相互作用を通じて、情報担体のタッチ構造体が、エリアセンサーに接続されるデータ処理システムにとって評価可能になり、したがって、情報担体に関連するイベントをトリガーすることができる。本発明の意味では、エリアセンサーはタッチスクリーンも意味する。
【００４３】
この容量性相互作用を通じて、好ましくは、エリアセンサーを支持するデバイスにおいて、イベントをトリガーすることができる。そのイベントは更に、限定はしないが、例えば、アプリケーション（プログラム）を起動及び／又は終了すること、数値及び／又はテキストを変更すること、グラフィックスを操作すること、データベースを変更すること、又は情報技術サービスへのアクセスを獲得すること等の動作をトリガーする。
【００４４】
エリアセンサーは、少なくとも１つの容量性ディスプレイを備え、エリアセンサーを含むデバイスは、これらに限定されるものではないが、スマートフォン、移動電話、ディスプレイ、タブレットＰＣ、タブレットノートブック、タッチパッドデバイス、グラフィックスタブレット、テレビ、ＰＤＡ、ＭＰ３プレーヤー、トラックパッド及び／又は容量性入力デバイスを含む群から選択されることが好ましい。容量性エリアセンサーは、例えば、タッチスクリーン、タッチパッド又はグラフィックスタブレットとして入力デバイスの一体部分とすることもできる。タッチスクリーンは、触覚性スクリーン又はタッチセンサースクリーンとしても知られている。そのような入力デバイスは、中でも、スマートフォン、ＰＤＡ、タッチディスプレイ又はノートブックにおいて用いられる。エリアセンサーは、必ずしもディスプレイの前面に位置する必要はない。例えば、上記エリアセンサーは、キーボードとして構成して用いることもできる。クリック機能とともに、ドラッグアンドドロップ操作を行うこともできる。また、例えば表示された要素を回転又は拡大縮小するために、いわゆる「マルチタッチ」の形態の複数の同時接触を用いることも可能である。エリアセンサーは、好ましくはいわゆる投影容量性タッチ技術（ＰＣＴ）として設計される。ＰＣＴ技術の変形形態は、例えば、「相互静電容量」及び「自己静電容量」を含み、これらは相互静電容量スクリーン及び自己静電容量スクリーンとして設計することができる。
【００４５】
本発明の情報担体は、この情報担体を用いて、有利には、エリアセンサーを有するデバイスへの接続を実現することができることを特徴とする。エリアセンサーは、好ましくは容量性リーダーと類似して動作するが、現在、従来技術（特許文献１の永久情報ストア）から限定的に知られているような、固定の画定された導体経路にも読み取り電極にも依拠していない。本発明の情報担体を通じて、容量性エリアセンサーを含むデバイスの機能の範囲を拡張したものが開発される。その結果、例えば、情報がより容易にアクセス可能になり、及び／又はデバイスの使用が（特に身体的に障害を負った人、身体障害者又は高齢者にとって）簡単になり、及び／又は新規な用途が可能になるが、これらに限定されるものではない。
【００４６】
情報担体上において、サブエリアとして構成することができるタッチ構造体の形態で情報を記憶することができることが好ましい。情報担体がエリアセンサーに接触又は接近すると、情報は、エリアセンサーを介して読み取り可能になり、静電容量が特に部分的に変化する。
【００４７】
情報を形成するタッチ構造体、すなわち或るエリアのサブエリアは導電性材料からなる。本発明の開示によれば、当業者は、タッチ構造体が、コーナーポイント、及び／又は曲線によって画定されたエリア一帯、例えば長方形、円形又は類似の形状からなることを認識する。サブエリアの相互の空間的関係（向き、量、位置合わせ、距離及び／又は位置）及び／又はサブエリアの形状が好ましくは情報を表す。情報担体がエリアセンサー上に位置決めされると、タッチ構造体は、例えば指の入力として解釈され、それによって、タッチ構造体のサブエリアから、符号化された情報が、これに限定されるものではないが例えば２進コード化された数の形で決定可能である。しかしながら、情報担体は情報担体として直接解釈することができるか、又はそれぞれ、情報担体の使用状況が特にその特定の情報を決定する。位置決めは、エリアセンサーに対して情報担体を動かすことを通じて実行することもできる。エリアセンサーは、情報担体に対する相対的な動きの中で、情報担体から完全な情報又は部分的な情報を徐々に受信することが好ましい。これに関連して、エリアセンサーに対する情報担体の位置に基づいて、異なるイベントが生成されることも可能である。このために不可欠なのは、例えば、エリアセンサーに対して情報担体が動く方向、又は留まる時間である。
【００４８】
情報担体は、有利には、単純な署名付き情報担体又は符号化された情報担体として構成することができる。このため、情報担体は、或る特定の量のデータ又はハードウェアの認可された使用のためのキーとして適しており、例えばインターネット等の既知のデータネットワークを介して通信を行うことができる。通信は、エリアセンサーを備えるデバイスを介して行うこともできる。
【００４９】
以下に要約するように、動作は、好ましくはイベントによってトリガーされるものである。
【００５０】
エリアセンサーを含むデバイスとの関連において、情報担体は以下のものである：
−デバイス自体においてプログラムシーケンス内の動作をトリガーする単純な情報担体、
−デバイス、及び／又はデータネットワークを介して接続することができる外部のデータ処理システムのプログラムシーケンス内の動作をトリガーする署名付き情報担体、
−デバイス及び／又は外部のデータ処理システムのプログラムシーケンスによって復号化され、デバイス又は外部のデータ処理システムのプログラムシーケンス内の動作をトリガーする符号化された情報担体。
【００５１】
更なる好ましい実施の形態によれば、それぞれが少なくとも１つの関連付けられた結合面を有する少なくとも２つのタッチ構造体が基板上に置かれる。この配置によれば、例えば、ユーザーが、関連した各結合面にタッチすると、少なくとも２つのイベントをトリガーすることができる。これによって、ユーザーは情報担体を介して例えばイエス／ノーの決定をトリガーすることができる。
【００５２】
幾つかの情報担体は、有利には、特に、隣同士に及び／又は順に上に重ねて及び／又は時系列で組み合わせて読み取ることができる。これによって、驚くべきことに、情報担体が例えば厚紙及び／又は紙に印刷されていても、複雑な情報を記憶することが可能である。情報担体は、驚くべきことに、印刷媒体をデジタル媒体と組み合わせる。このようにすることは、これまで可能ではなかった。
【００５３】
情報担体がデータ処理システム内のデータセットに割り当てられ、データセットは一定のままであることが更に好ましい。好ましい実施の形態では、情報担体がデータ処理システム内のデータセットに割り当てられ、データセットは変化する。これは、例えば、情報担体を用いることによって及び／又は経時的に（by means of time）行うことができるが、これらに限定されるものではない。
【００５４】
情報担体は、有利には、エリアセンサーと接続した情報担体を、タッチ構造体を介してデータ処理システムの動作に割り当てることができるように、又はエリアセンサーと接続した情報担体が上記動作をトリガーすることができるように用いることができる。この動作は、特に、ネットワーク化されていないデータ処理システム、特に好ましくはネットワーク化されているデータ処理システムに適用される。
【００５５】
また、本発明は、情報を取得するための容量性情報担体の使用にも関連する。ここでは、少なくとも１つの容量性エリアセンサー及び少なくとも１つの容量性情報担体が提供され、情報担体は非導電性基板を有し、その基板は少なくとも１つの導電性タッチ構造体を備える。少なくとも１つの情報担体は、少なくとも１つのエリアセンサーと接触し、その接触は静的及び／又は動的とすることができる。ここで、静的接触は、詳細には、情報担体の評価時に、エリアセンサーに対して行われる動きがないか、又はその動きが大きくないことを表す。対照的に、動的接触は、詳細には、情報担体の評価中に相対的な動きが生じる場合があることを表す。本発明によれば、その接触は接近も含むことができる。その接触を通じて、容量性相互作用がトリガーされ、その容量性相互作用を通じて、情報担体からエリアセンサーに情報が転送される。
【００５６】
導電層のエリアであるタッチ構造体は、好ましくはサブエリアからなる。情報担体がエリアセンサーと接触すると、イベントがトリガーされるように、特に、サブエリアの形状、向き、量、位置合わせ、距離及び／又は位置が情報担体の情報を形成する。これに関して、エリアセンサーを用いてデバイスのプログラムシーケンスを制御することが可能である。サブエリア、すなわちタッチ構造体は、好ましくはコーナーポイント、及び／又は曲線によって画定されたエリア一帯、例えば長方形、円形又は類似の形状からなる。
【００５７】
サブエリアは、例えば、８ｍｍの円とすることができる。したがって、幅５０ｍｍ、高さ７５ｍｍの１６３ｐｐｉ（ピクセル／インチ）の分解能のエリアセンサーにおいて、サブエリアは実質的に約５０×５０ピクセルのサイズを有する。８ｍｍのサイズを有するサブエリアをエリアセンサー上に６×９に配列して、５４分割することができる。この結果、以下となる。
【００５８】
サブエリアの位置は、それらの直径の２分の１まで決定可能である。したがって、可能な位置の数は、軸当たり２倍である。しかし、１つの位置が、端においてその都度除外される。したがって、（６＊２−１）×（９＊２−１）であり、このため１１×１７個の位置が区別可能である。
【００５９】
極端な場合、１つの占有された位置が、９つの可能な近傍の位置を塞ぐ。したがって、用いられる位置が５つの場合、１７×１１＝１８７個の可能な位置のうちの５×９＝４５個の位置が除外される。このため、１４２個の空いている位置が残される。サブエリアとしての空いている位置は、二項係数に従う。
【００６０】
したがって、式
【数１】
0006016794.tif 000002
は、サブエリアの可能な配置を与える。この場合、サブエリアの４４８０７２３３８個の異なる配置が可能である。この数字は、２９桁を有する２進数として表すことができる。この結果、少なくとも２２８個の可能な配置が得られ、２８ビットのデータを表すことができる。
【００６１】
５個から１８個までのサブエリアの数の場合、以下の表が得られる：
【表１】
0006016794.tif 000003
（表中英語の意味）
142 choose 5  １４２個から５個を選ぶ組合せ：１４２Ｃ５
133 choose 6  １３３個から６個を選ぶ組合せ：１３３Ｃ６
124 choose 7  １２４オーバー７（１２４個から７個を選ぶ組合せ：１２４Ｃ７）
115 choose 8  １１５オーバー８（１１５個から８個を選ぶ組合せ：１１５Ｃ８）
106 choose 9  １０６オーバー９（１０６個から９個を選ぶ組合せ：１０６Ｃ９）
97 choose 10  ９７オーバー１０（９７個から１０個を選ぶ組合せ：９７Ｃ１０）
88 choose 11  ８８オーバー１１（８８個から１１個を選ぶ組合せ：８８Ｃ１１）
79 choose 12  ７９オーバー１２（７９個から１２個を選ぶ組合せ：７９Ｃ１２）
70 choose 13  ７０オーバー１３（７０個から１３個を選ぶ組合せ：７０Ｃ１３）
61 choose 14  ６１オーバー１４（６１個から１４個を選ぶ組合せ：６１Ｃ１４）
52 choose 15  ５２オーバー１５（５２個から１５個を選ぶ組合せ：５２Ｃ１５）
43 choose 16  ４３オーバー１６（４３個から１６個を選ぶ組合せ：４３Ｃ１６）
34 choose 17  ３４オーバー１７（３４個から１７個を選ぶ組合せ：３４Ｃ１７）
25 choose 18  ２５オーバー１８（２５個から１８個を選ぶ組合せ：２５Ｃ１８）
【００６２】
したがって、１２個のサブエリアによって、結果として、この例に従って表すことができる最大４５ビットのデータが得られる。これは、以下を意味する：
−最大５個のサブエリアの場合、最大２８ビットまでを情報担体１に収容することができ、
−１２個のサブエリアの場合、最大４５ビットまでを情報担体１に収容することができる
【００６３】
サブエリアを縮小することによって、データの量を著しく増やすことができる。
【００６４】
また、本発明は容量性情報担体を認識するための方法にも関連し、その情報担体はタッチスクリーンを有するコンピューターベースシステムに設置されることが好ましい。その方法は、容量性ベースラインを設けることと、容量性情報担体がタッチスクリーンに接触するか、又は接近するときに、電流信号を生成することとを含む。容量性ベースラインと生成された信号とを比較することによって、イベントがトリガーされる。
【００６５】
タッチスクリーンを有するコンピューターベースシステムが容量性情報担体を（接触又は接近を通じて）認識すると直ちに、イベントがトリガーされる。しかしながら、タッチスクリーンは情報担体を認識するだけであり、情報をコンピューターに転送して、それに応じて、コンピューターがイベントをトリガーすることも好ましい可能性がある。タッチスクリーンは白黒モニター、カラーモニター（ＣＧＡ、ＥＧＡ、ＶＧＡ、ＳＶＧＡ）、ＬＣＤ、ＣＲＴ、ＬＥＤ、ＯＬＥＤ又はプラズマモニターを含むモニターの一体部分とすることができる。しかしながら、タッチスクリーンがモニターに組み込まれるのではなく、別の構成要素として実現されるのも有利である可能性がある。例えば、タッチスクリーンは、タッチパッド又はトラックパッドとして構成することができる。タッチスクリーンは、情報担体から受信された情報をデータ処理デバイスに転送することが好ましく、それにより、イベントがトリガーされることが好ましい。
【００６６】
イベントは更に動作をトリガーすることが好ましい。その動作は、例えば、コンピューター又はコンピューターネットワーク上に登録すること、又は制限されたエリアに進入すること、コンピューターの関連する個人設定をコンピュータープロファイルにロードすること、ウェブコンテンツにアクセスすること、コンピュータープログラムを開始すること、文書を開くこと、及び／又は閉じること、メニューを見ること、更なる動作を実行すること、文書を符号化すること、及び／又は復号化すること、又は入力デバイス及び／又は出力デバイスを動作させることとすることができる。また、例えば、進入制限エリアに進入するために、複数の情報担体を組み合わせなければならないことも好ましい可能性がある。ここでは、必要な情報担体は様々な人に分配することができ、これによって高い安全基準が満たされる。また、複数の情報担体を組み合わせて、関連するシーケンスを形成し、シーケンス全体が完成した場合にのみ、イベントがトリガーされるようにすることができる。情報担体は、例えば、個人データ、銀行データ又はクレジットカードデータを出力するイベントをトリガーするために用いることができる。これは、銀行部門又は小売部門において特に有利である可能性がある。
【００６７】
また、情報担体は、例えば、当選の可能性を決定するホームページへのアクセスを確立する宝くじとして使用することによって、広告のために用いることもできる。情報担体は、他の物品とともに販促品として配布又は販売することができる。情報担体を用いて、受領者は販促情報又は製品情報にアクセスすることができる。例えば、情報担体を用いて、受領者は、詳細には、購入された製品のためのユーザーマニュアルを含むウェブサイトを開くことができる。
【００６８】
タッチスクリーンを有するコンピューター又はデバイスのオペレーティングシステムは、プログラム、詳細には、認識プログラムを含むことが好ましく、そのプログラムは容量性情報担体を認識するための方法を含む。オペレーティングシステムは既知であり、ＯＳ／２、ＤＯＳ、ＵＮＩＸ登録商標、Ｌｉｎｕｘ登録商標、Ｗｉｎｄｏｗｓ登録商標、ＷｉｎｄｏｗｓＭｏｂｉｌｅ  Ａｎｄｒｏｉｄベースシステム、ｉＯＳ、ＭａｃＯＳ、Ｄａｒｗｉｎ等を含む。認識プログラムは、オペレーティングシステムにおいて実施することができるか、又は別のソフトウェアとして実施することができる。認識プログラムはＲＯＭ又はＲＡＭ内に記憶されることが好ましい。
【００６９】
認識プログラムは、ＣＤ−ＲＯＭ、ＰＣ−ＣＡＲＤ、ディスク、磁気記憶媒体又はネットワークコンポーネントを含む、外部記憶媒体に記憶することもできる。認識プログラムがタッチスクリーン自体に（例えば、ファームウェア内に）記憶されることも有利である可能性がある。認識プログラムは、ユーザーがアクセス可能であることが好ましく、そのプログラムはタッチスクリーン上に表示することができる。ユーザーは設定を変更することができ、及び／又はスクリーン上の、情報担体が認識されることが好ましい領域を決定することができる。原理的には、認識プログラムは、情報担体との接触を認識し、それをオペレーティングシステムに通知し、及び／又はイベントをトリガーするコマンドからなる。
【００７０】
コンピューターは、デスクトップコンピューター、ラップトップ又はスマートフォンを含む、ＰＣ（パーソナルコンピューター）であることが好ましい。しかしながら、そのコンピューターは、例えば、共同コンピューター端末、現金自動預払機（ＡＴＭ）、ＰＯＳ（店舗販売時点情報管理機）、産業用コンピューターシステム、ゲームコンソール、スロットマシン、券売機、予約機、サービスステーション等の公共のコンピューターシステムの一体部分とすることもできる。
【００７１】
情報担体上に付着するタッチ構造体は、簡単、及び／又は複雑な構造を含むことが有利である場合がある。例えば、その上に円、正方形、長方形、点、三角形、ロゴ、記号、テキスト等を付着させることができる。さらに、２値コード又はエンボス加工印刷のような構造体を実装することが好ましい。また、その構造体は、実行されるべき動作の表示とすることもできる。例えば、その構造体は鍵の形状を有することができ、その鍵は、情報担体、又はそれぞれ構造体によってアクセスが許されることを示す。また、その構造は、既存のカード、例えば、クレジットカード上に付着させることもできる。タッチスクリーンは、送信、受信及び／又は記憶することができる任意のコンピューターシステムの一体部分とすることができる。コンピューターシステムは、ＰＣ、ラップトップ、ハンドヘルドコンピューター、ＩＢＭ互換コンピューター、Ｗｉｎｄｏｗｓ互換コンピューター又はＡｐｐｌｅ互換コンピューターとすることができる。
【００７２】
これ以降、幾つかの例を用いて情報担体の使用が説明されることになるが、これらに限定されるものではない。
【００７３】
製品又は商品を購入する場合の情報担体の使用
その情報担体は、商品又は製品を購入するために用いることができる。例えば、商店又はキオスクが、顧客が利用可能であるタッチスクリーンを有するデバイスを提供することができる。顧客は、そのデバイスを介して商店又はキオスクにおいて顧客を識別することができる情報担体を有する。情報担体を使用することによって、顧客はそのデバイスにおいて身元を明らかにすることができ、例えば、既に購入されている商品及び個人データを閲覧することができる。情報担体を通じて身元確認が行われ、情報担体をデバイス、すなわち、タッチスクリーンのエリアセンサーに接触させなければならないか、又はタッチスクリーンに接近させなければならない。本発明の意味では、タッチスクリーンは特にエリアセンサーも意味する。
【００７４】
有利には、タッチスクリーンを有するデバイスは、インターネット又は更なるコンピューター若しくはデバイスを介して、情報を交換することができるネットワークに接続される。例えば、顧客は情報担体を用いて検索することができる預金を有することができ、ネットワークを介して、実際の与信額を特定することができる。個人データ及び既に購入されている商品をロードした後に、顧客は、同じ商品を再び注文したいか否かを判断することができる。これは、新聞を購入すること、又は定期的に購入される基本食品を買うことに関して特に有利である。例えば、情報担体を介して、顧客は、本のサンプルに、又は新聞若しくは雑誌の試読にアクセスすることもできる。このようにして、広告チラシの形の情報担体を雑誌の購入者に送付することができる。購入者は自分のスマートフォンを用いて情報担体を読み取ることができ、特定の製品についての情報にアクセスすることができる。その製品を直ぐに購入するか、又は製品提供者のウェブページ上の製品に目を通すかは購入者次第である。また、購入者は、提供者について、及び提供者の場所を通知される。
【００７５】
有利には、情報担体は雑誌又は新聞内に印刷することもでき、例えば、旅行代理店の広告を含むことができる。関心のある人は、エリアセンサーを有するデバイスをその広告、すなわち、情報担体に接触させることができ、提供される旅行についての情報を受信する。関心のある人がその旅行を予約したい場合には、デバイス、例えば、スマートフォンを介して直接予約を行うことができる。このために、スマートフォン上のプログラムがインターネットを介して旅行代理店の更なるプログラムに接続し、旅行代理店は、関心のある人の個人データ及びクレジットカードデータを与えられる。関心のある人が提案された価格に同意する場合には、その人は旅行を予約することができる。その後、その人は、郵便物によって、又はデジタル通信によって予約確認を受信する。また、同様の手順を通じて、新聞又は雑誌に広告される航空便を予約することもできる。
【００７６】
情報担体がレストランの訪問者に提供されることも有利である可能性があり、その訪問者は、情報担体、及びタッチスクリーンを有するデバイス（例えば、スマートフォン）を介して、そのレストランにおいて提供される料理のレシピを入手することができるレストランのウェブサイトにアクセスすることができる。有利には、そのレシピのために必要な商品をオンラインで直接注文することもできる。さらに、料理の原料についての情報を訪問者に対して表示することができ、その情報はアレルギー患者にとって特に重要である。
【００７７】
また、受領された情報担体を用いて、訪問者は、レストランにおいて行われる特別なイベントについての情報を通知されることができる。受信されるイベント又は他の情報は、有利にはデバイス、例えば、スマートフォンにそのまま記憶することができ、例えば、カレンダーに入力することができる。また、情報担体を通じて訪問者は連絡先データを入手することができるので、訪問者は、スマートフォンの連絡先データベースへのレストランの自動エントリを開始することができる。
【００７８】
有利には、商品又は製品を購入するために、人員は不要である。それらの商品又は製品は、顧客によって注文されることができ、後に顧客に配達されることができる。また、情報担体が動作をトリガーし、その動作を通じて、例えば、情報担体が製品を直接受け取ることも可能である。例えば、情報担体によって、タッチスクリーンを有するキャンディ自動販売機又は新聞自動販売機を動作させることができる。顧客によって購入される製品はタッチスクリーン上に表示され、顧客は購入を確認するか、又は辞退することができる。このために、例えば、タッチスクリーン上の２つのエリアを作動用として顧客に提供することができる。顧客が購入を確認した後にのみ、購入がトリガーされる。購入後に、顧客はタッチスクリーン上で購入の概要を受信することができ、それをデバイスの記憶媒体に記憶することができる。
【００７９】
情報担体は購入された製品又は製品のパッケージングに取り付けられることも好ましい可能性がある。情報担体を通じて、製品を購入した顧客は製品固有の情報資料又は付属資料にアクセスすることができる。顧客がしなければならないのは、情報担体をタッチスクリーンに接触させること、又は情報担体をタッチスクリーンに近づけることだけであり、それにより動作がトリガーされ、その動作を通じて、例えば、インターネット内の或る特定のウェブページが顧客に表示されるか、或る特定のプログラムが開始されるか、又は顧客に映像が示される。
【００８０】
その情報担体は、例えば、食料品のパッケージングに印刷することができる。購入者は、例えば、自分のスマートフォンを用いて情報担体の情報を読み取り、それにより、レシピ、材料及び／又は調理説明書（映像及び／又は音声）を含む、購入された食料品についての特定の情報にアクセスする。
【００８１】
テレビ、好ましくは、容量性タッチスクリーンを介して情報担体を用いて商品を購入することも好ましい可能性がある。テレビはエリアセンサー、好ましくは、容量性タッチスクリーンを有することが好ましい。情報担体は、テレビのタッチスクリーンに接触させることができるか、又は近づけることができる。例えば、顧客は情報担体を用いて自分の身元を明らかにすることによってショッピングチャネルから製品を購入することができ、それにより、製品が購入される。
【００８２】
情報担体はプログラムをトリガーするために使用できることが好ましい。例えば、コンサートに行った後に、人は情報担体を取得することができる。自宅において、その人はタッチスクリーンを有するデバイスに情報担体を接触させるか又は近づけ、それにより、イベント及び動作がトリガーされる。有利には、そのデバイスはインターネットにアクセスすることができ、それにより、その人は以前に訪れたコンサートの作品が提供されるウェブページにアクセスできるようになる。また、その人はウェブページ上で訪れたコンサートの映像を見ることもでき、その場合、その人は最初に情報担体を用いて自分の身元を明らかにしなければならない。情報担体を通じてのみ、その人はウェブページ上の制限されたエリアにアクセスすることができる。
【００８３】
印刷物に対する補足としての情報担体の使用
情報担体は教科書の一部として印刷することができるか、教科書に同封することができる。その教科書は、例えば、生徒が解くことができる課題を含む。その問題を解いた後に、生徒はタッチスクリーンを有するデバイス、例えば、スマートフォンを教科書内の情報担体に接触させることができるか、又は情報担体に近づけることができ、それにより、解答にアクセスすることができ、その解答は、例えば、アクセスが制限されているウェブページにおいて入手することができる。また、このようにして、勉強中に生徒を支援する映像ファイル又は音声ファイルにアクセスすることができる。
【００８４】
情報担体が本に同封されるか、又は本の上に印刷されることも好ましい可能性がある。情報担体を介して、かつタッチスクリーンを介して、本の購入者は、その著者の更なる本が提供されるウェブページにアクセスすることができ、そしておそらく、その本の計画された映画版の予告編を見ることができる。本を購入する前に、関心のある人は、本の上にある情報担体を自分のスマートフォンに接触させることができ、それにより、その人に対してスマートフォン上に無料サンプルが表示される。それゆえ、関心のある人は、購入前に本のサンプルを読むことができる。
【００８５】
情報担体は、ＤＶＤ又はブルーレイのパッケージングに印刷することもできるか、又は同封することができる。情報担体によって、購入者は、購入した映画についての更なる情報（例えば、俳優についての情報又は更なる資料）を含むウェブページにアクセスできるようになる。有利には、情報担体は、ＤＶＤ、ブルーレイ又はビデオゲームのパッケージングに印刷することができる。スマートフォンを用いて、購入予定者は情報担体を読み取ることができ、おそらく、何ら義務を伴うことなく、購入予定の製品のサンプルを試すことができる。
【００８６】
情報担体は雑誌又は新聞の購入に伴う付録として入手することもでき、タッチスクリーンを有するデバイスを用いてプログラム又はウェブコンテンツへのアクセスを確立することができる。
【００８７】
クーポンとしての情報担体の使用
情報担体はクーポン又は割引券として用いることもできる。情報担体は、企業によって潜在的な顧客に広告として送付するか、又は配布することができる。受領者は、好ましくはその企業内に配置される特定の端末又はタッチスクリーンを有する類似のデバイスにおいて情報担体を商品と引き換えることができる。例えば、顧客は或る特定の金額でその企業の製品を選択することができ、情報端末をタッチスクリーンに接触させるか、又はタッチスクリーンに近づけ、それにより、イベントをトリガーすることによって、情報担体を用いて支払うことができる。情報担体は、例えば、クーポンと同じような動作をトリガーし、顧客はその製品の支払いを行うためにそのクーポンを使用することができる。
【００８８】
有利には、情報担体はインターネットにおいてクーポンとして使用することもできる。例えば、顧客はインターネット上で製品を購入することができ、タッチスクリーンを有するデバイスに情報担体を接触させることによって支払い動作をトリガーすることができる。情報担体は、音楽ダウンロード等のためのクーポンとして使用することもできる。
【００８９】
或る人によって複数の情報担体が収集され、所定の数の情報担体の組み合わせを通じてのみクーポンが有効にされることも有利である可能性がある。例えば、或る特定の数の情報担体のみがイベント又は動作をトリガーするように、複数の情報担体をタッチスクリーンと組み合わせることができる。幾何学的図形を完成させるのにあと何枚の情報担体が必要とされるかを人が視認できるように、個々の情報担体が幾何学的形状の一部としてタッチスクリーン上に表示される。完成した図形は、タッチスクリーンを有するデバイス上に記憶できることが好ましく、妥当な場合には、同じく情報担体を収集する他人と交換することができる。そのデバイスは、ネットワーク、又はブルートゥース、赤外線等を含む他の通信チャネルを介して、互いに通信することができる。
【００９０】
チケットとしての情報担体の使用
情報担体はチケットとして使用されることも好ましい可能性がある。情報担体は、例えば、映画チケットとして使用することができる。情報担体は、広告キャンペーンの一部として人に送付することができるか、又はその人は新聞の付録として情報担体を受け取る。当然、その人は、販売所において直接情報担体を購入することもできる。例えば、情報担体によって、その人は映画に、詳細には或る特定の映画にアクセスできるようになる。映画館に入場する際に、その人が行う必要があるのは、情報担体をタッチスクリーンと接触させるだけであり、タッチスクリーンは映画館内のデバイスの一体部分である。接触を通じて、又はタッチスクリーンに近づくことによって、イベント又は動作がトリガーされ、好ましくはその人に対して、その映画のチケットが発行される。
【００９１】
好ましくは、情報担体は製品又はチケット上に予め印刷することができる。また、情報担体は、パッケージングに印刷することもできる。印刷方法として、転写法、好ましくは転写フィルム法を用いることが好ましい。したがって、例えば、情報担体は、ＣＤのパッケージングに印刷することができる。情報担体を通じて、ＣＤの購入者は、更なる楽曲に、又はその演奏者の商品化している作品にアクセスすることができる。
【００９２】
名刺としての情報担体の使用
情報担体は名刺として用いることもできる。情報担体の所有者は、情報担体上に個人データを記憶することができ、情報担体を他の人に送ることができる。その人は情報担体を単にタッチスクリーンに近づけ、それにより、動作をトリガーする。その動作は、例えば、情報担体の所有者の個人ホームページを開くこととすることができる。個人データは、タッチスクリーンを有するデバイス上に直接記憶され、例えば、連絡先データベースに転送されることが好ましい。
【００９３】
鍵としての情報担体の使用
情報担体は鍵として用いられることも好ましい可能性がある。これは、所有者が情報担体を用いてのみ、制限されたエリアに進入できることを意味する。所有者は、例えば、ドアにおいて、情報担体を用いて、ドアに取り付けられたタッチスクリーン上で自分の身元を明らかにし、それにより動作がトリガーされ、それを通じて、おそらく、ドアが開放される。
【００９４】
有利には、制限されたエリアに進入するために複数の情報担体を用いることもできる。例えば、警備が厳重なエリアへの進入は、２人の異なる人に対して発行された２つの異なる情報担体を用いることによってのみ許される場合がある。また、好ましくは２人の異なる人に配布された少なくとも２つの異なる情報担体を用いることによってのみプログラムを開始することができるように、重要なプログラムのトリガーを制限することができる。
【００９５】
スマートフォンによる情報担体の使用
有利には、情報担体はスマートフォンと相互作用することもできる。このために、情報担体を容量性タッチスクリーンに接触させるか又は近づけ、それにより、スマートフォン上のイベントをトリガーし、それにより、プログラムを開始することができる。スマートフォンは、情報担体の識別情報を表示することが好ましく、有利にはユーザーに異なるステップの選択を提供する。したがって、ユーザーは、プログラムを直ちにトリガーすることができるか、又は後の時点でのみトリガーすることができる。これは、インターネット接続を確立することが不可能であり、後の時点で接続が確立されることになる場合に特に有利である可能性がある。その際、ユーザーはタッチスクリーン上で、現在インターネットに接続されていないというメッセージを受信し、ユーザーは、接続を直ちに確立すべきか、後の時点で確立すべきかを選択することができる。有利には、情報担体についての情報はユーザーにも表示され、必要な場合には、その情報はスマートフォンの記憶装置に記憶される。また、情報担体はスマートフォンにコマンドを通信することができ、その後、プログラムを通じてそれらのコマンドを実施することができる。したがって、例えば、プログラムがハイパーリンクを実行することができ、或る特定のインターネットウェブページに直接、又はウェブサービスを通じて接続することができる。
【００９６】
これに関連して、情報担体は或る特定のウェブサイト又はプログラムにユーザーがアクセスするのを許すために必要とされる証明書又は認証手段として用いることもできる。例えば、情報担体はパスワードを含むことができ、そのパスワードはタッチスクリーンによってデバイスに送信され、そのパスワードを与えることによってのみ、制限されたコンテンツへのアクセスが可能である。電子メールを送信及び受信するためにスマートフォンを用いることができる。電子メールが復号化される場合でも、それは受信時には読み取ることはできない。コードが入力された後にのみ、その電子メールは読み取り可能になる。また、情報担体を認証手段として使用することもできる。情報担体は、電子メールの潜在的な受信者に送付される。復号化された電子メールを受信すると、受信者は、情報担体をタッチスクリーンに近づけるように要求され、それにより、情報担体上の情報が読み取り可能になる。読み取られた情報が照合され、その検証が肯定されると直ちに、受信者は電子メールを読むことができる。
【００９７】
ショッピングガイドとしての情報担体の使用
情報担体は、製品又は商品上に印刷することができる。顧客が製品に関心があるが、その製品に関し専門家による助言を受けられない場合には、顧客は情報担体を自分のスマートフォンに、又は容量性タッチスクリーンを有する別のデバイスに接触させることができるか、又はそのデバイスに近づけることができる。情報担体はイベント又は動作をトリガーし、それを通じて、スマートフォン上に例えば製品の製造業者のウェブページが表示される。ここで、顧客は、その製品についての更なる情報を見つけることができる。その情報はテキストの形で、又は映像若しくは音声ファイルとして存在することができ、例えば、その製品の使用法、特殊な付属品又は他の事柄を含むことができる。
【００９８】
情報担体は商店によって広告チラシとして配布されることも好ましい可能性がある。関心のある人は、受け取った情報担体を、エリアセンサーを備えるデバイスと組み合わせることができる。情報担体はイベント又は動作をトリガーし、それにより、その人のスマートフォン上に、関心のある人が自分の居場所から商店まで移動する方法が表示されるようにする。同時に、その人は情報担体を介して、その商店で使える割引券を受け取ることができる。
【００９９】
支払い手段としての情報担体の使用
例えば、情報担体は製品又は商品のパッケージングに印刷することができる。顧客が製品に関心があるとき、その人は、上記のように、情報担体を用いて、その製品についての情報を視認することができる。しかしながら、その製品を直接購入することもできる。例えば、情報担体は、その製品に関する重要なデータ、例えば、価格をスマートフォンに転送する。スマートフォンは有利にはインターネットにアクセスすることができ、インターネットを介して、その製品を購入できるようにするプログラムを有する。情報担体をスマートフォンに接触させ、スマートフォンが購入にために必要な全ての情報を有した後に、購入を完了することができる。そのプログラムは、製品及び顧客についての情報を、インターネットを介して、その購入を処理する更なるプログラムに送信する。住所並びに銀行データ及び／又はクレジットカードデータのような顧客データがこのプログラムに通信される。購入が確認された後に、これが顧客に通知され、その製品を持ち帰ることができる。購入成功の確認は、スマートフォンにも送信され、その購入の証拠としての役割を果たすことができ、例えば、百貨店の出口において確認書として用いることができる。
【０１００】
マイクロチップと組み合わせての情報担体の使用
情報担体上にマイクロチップが配置されることも有利である可能性がある。有利には、マイクロチップは、例えば、シリアル番号又はコードのような電子情報を電子受信機に能動的に、又は受動的に送信することができる。例えば、情報担体のユーザーは、その情報担体を用いて、タッチスクリーンにおいて自分の身元を明らかにすることができ、そのデバイスはマイクロチップから更なる情報を受信する。しかしながら、情報担体上にバーコードを付着させることも有利である可能性がある。バーコードは２次元バーコードの形で情報担体上に付着させることができ、例えば、シリアル番号を符号化するための役割を果たすこともできる。バーコードは、例えば、マトリックスコード、ＱＲコード登録商標又はアズテックコードとすることができる。マイクロチップ及び／又はバーコードは、情報担体を識別するために用いることもできる。
【０１０１】
都市ガイドとしての情報担体の使用
情報担体は関心のある場所に取り付けることができる。例えば、情報担体は、モニュメント若しくは建物に、又は掲示板に取り付けることができる。好ましくは、スマートフォン、又はエリアセンサーを有する別のデバイスを有する旅行者は、旅行中に掲示板を視認することができ、必要に応じて、自分のスマートフォンを情報担体に接触させることができる。これはスマートフォン上の動作をトリガーし、その動作を通じて、旅行者に対してウェブページが表示され、そのウェブページにおいて、旅行者は関心のある場所についての更なる情報を見つけることができる。その情報は、例えば、テキストとして、又は映像として存在することができる。必要な場合には、インターネットを介して関心のある場所に関する商品化している製品を取得することもでき、それらの製品は旅行者の自宅住所に直接送られる。旅行者によって定期的に訪問される或る特定の地区において、情報担体が対象物の中央位置に取り付けられることも有利である可能性がある。旅行者が自分のスマートフォンを情報担体に接触させた後に、旅行者はその地区についての情報を受信する。その情報は、例えば、プログラム又はインターネットを通じて提供されることができ、映像及び音声データを含むことができる。旅行者はレストラン、商店、関心のある場所、及び妥当な場合には、その割引手段について通知される。
【０１０２】
セキュリティ機構としての情報担体の使用
情報担体は、有利には、書類又は身分証明書上のセキュリティ機構として付着させることができる。このために、情報担体は基板、例えば、銀行券上に印刷することができ、銀行券上の情報担体は可視又は不可視とすることができる。銀行券を検証するために、その銀行券をリーダー又はエリアセンサーと接触させることができ、それにより、好ましくは、情報担体は容量的に読み取られ、これを通じて、銀行券の信憑性を検証することができる。情報担体は、紙幣の信憑性を検証できるだけでなく、紙幣を数え、その金額を特定するために用いることもできる。例えば、視覚障害者は、リーダー又はエリアセンサー（例えば、タッチスクリーン）を用いて紙幣の金額を特定することができ、このとき、情報担体が対応する金額を符号化し、その金額がリーダー又はエリアセンサーによって読み出される。信憑性を検証するために、情報担体をクレジットカード又は身分証明書に組み込むことも可能である。
【０１０３】
ここで、本発明が図面を参照しながら例示的に説明されるが、それには限定されない。
【図面の簡単な説明】
【０１０４】
【図１】情報担体の好ましい構成の平面図である。
【図２】情報担体の好ましい構成の平面図である。
【図３】情報担体の好ましい構成の平面図である。
【図４】情報担体の好ましい構成の平面図である。
【図５】図５ａ：情報担体の断面図である。図５ｂ：情報担体の断面図である。
【図６】導体経路を有する情報担体を示す図である。
【図７】導体経路を有する情報担体を示す図である。
【図８】導体経路及び結合面（複数の場合もある）を有する情報担体を示す図である。
【図９】導体経路及び結合面（複数の場合もある）を有する情報担体を示す図である。
【図１０】導体経路及び結合面（複数の場合もある）を有する情報担体を示す図である。
【図１１】導体経路及び結合面（複数の場合もある）を有する情報担体を示す図である。
【図１２】図１２ａ：カバー層を有する情報担体を示す断面図である。図１２ｂ：カバー層を有する情報担体を示す断面図である。
【図１３】物品上の情報担体を示す図である。
【図１４】物品上の情報担体を示す図である。
【図１５】１つの情報担体とエリアセンサーとの相互作用を示す図である。
【図１６】複数の情報担体とエリアセンサーとの相互作用を示す図である。
【図１７】１つの情報担体とエリアセンサーとの相互作用を示す図である。
【図１８】複数の情報担体とエリアセンサーとの相互作用を示す図である。
【図１９】複数の情報担体とエリアセンサーとの相互作用を示す図である。
【図２０】図２０ａ：１つの情報担体とエリアセンサーとの相互作用を示す図である。図２０ｂ：１つの情報担体とエリアセンサーとの相互作用を示す図である。図２０ｃ：１つの情報担体とエリアセンサーとの相互作用を示す図である。
【図２１】情報担体の好ましい応用形態を示す図である。
【図２２】情報担体の好ましい応用形態を示す図である。
【図２３】情報担体の好ましい応用形態を示す図である。
【図２４】情報担体の好ましい応用形態を示す図である。
【図２５】情報担体の好ましい応用形態を示す図である。
【図２６】エリアセンサーを有するデバイス上での情報担体の使用を示す図である。
【図２７】エリアセンサーを有するデバイス上での情報担体の使用を示す図である。
【図２８】エリアセンサーを有するデバイス上での情報担体の使用を示す図である。
【図２９】デバイス上の情報担体の動きを示す図である。
【図３０】情報担体の好ましい用途を示す図である。
【図３１】情報担体の好ましい用途を示す図である。
【図３２】情報担体の好ましい用途を示す図である。
【図３３】情報担体の好ましい用途を示す図である。
【図３４】情報担体の好ましい用途を示す図である。
【図３５】紙幣上のセキュリティ機構としての情報担体の使用を示す図である。
【図３６】紙幣上のセキュリティ機構としての情報担体の使用を示す図である。
【図３７】紙幣上のセキュリティ機構としての情報担体の使用を示す図である。
【図３８】紙幣上のセキュリティ機構としての情報担体の使用を示す図である。
【発明を実施するための形態】
【０１０５】
図１〜図４は、情報担体１の好ましい構成の上面図を示している。情報担体１は、実質的には、少なくとも或る特定のエリアに付着された、少なくとも１つの導電層を有する基板２からなり、この層はタッチ構造体３である。基板２は担体であり、好ましくは、プラスチック、紙、厚紙、木質系材料、複合材料、ガラス、セラミック、テキスタイル、皮革又はそれらの組み合わせからなる。導電性のタッチポイント３は、基板２の或る特定のエリアに付着されている。
【０１０６】
タッチ構造体３は、例えば、円形及び／又は長方形の形状で基板２に付着させることができる。タッチ構造体３は、有利には、様々な幾何学的形状（図１、図２、図３）を用いて表すこともでき、これらを互いに組み合わせることもできる（図４）。
【０１０７】
図５ａ及び図５ｂは、情報担体１の断面図を示す。図５ｂにおける隆起したタッチ構造体３は、より良く説明するための役割を果たす。タッチ構造体３のための作製方法に応じて、タッチ構造体は、周囲の基板に対して浮き上がることができるか（例えば、スクリーン印刷）、その表面と同一平面を成すことができるか（例えば、オフセット印刷）、又は更には周囲の基板に対してくぼむことができる（例えば、ホットスタンピング）。
【０１０８】
図６及び図７は、導体経路４を有する情報担体１を示している。タッチ構造体３のサブエリアは、有利には、導体経路４よりも小さくすることもできるし、導電トレース４と等しくすることもできるし（図６）、導体経路４よりも大きくすることもできる（図７）。更なる実施形態（図８、図９、図１０、図１１）では、結合面５としての、導電層（タッチ構造体３）の少なくとも１つの更なるサブエリアが基板２上に位置している。タッチポイント３の個々のサブエリアは、好ましくは導体経路４を介して互いに導電的に接続される。タッチポイント３及び導体経路４は、有利には、導電層から形成される。
【０１０９】
図１２ａ及び図１２ｂは、カバー層６を有する情報担体１の断面図を示す。基板２及び導電性タッチ構造体３上には、コンパクトな情報担体１が得られるように少なくとも１つのカバー層６があり、タッチ構造体３は特に損傷を受けず、外部から見ることができない。カバー層６はカバープレートとして構成することもできる。
【０１１０】
図１３及び図１４は物品７上の情報担体１を示す。有利には、本発明による情報担体１は物品、例えば、カップ上に付着させることができる。これを通じて、有利には、情報担体１を用いて、物品の購入者にデジタル情報を迅速、かつ簡単に送信することができる。情報担体１は、物品７上に印刷されることが好ましく、情報担体１は平坦又は非平坦な表面上に付着させることができる。
【０１１１】
図１５〜図２０は、１つ又は複数の情報担体１とエリアセンサー９との相互作用を示す。情報担体１は、そこに記憶された情報とともに、エリアセンサーを有するデバイス８と接触させることができる。エリアセンサーを有するデバイス８は、データ処理デバイスであることが好ましい。例えば、情報担体１は、或る特定のエリアにおいてのみ、エリアセンサー９と接触することができる。情報担体１はエリアセンサー９上に置かれるのではなく、その上にわたって動かされることも有利である可能性がある。好ましくは、異なる接触及び接近方法を通じて、エリアセンサー９上に異なるイベントをトリガーすることができる。さらに、複数の情報担体１がエリアセンサー９と相互作用とすることができる。図２０では、エリアセンサー９、すなわち、エリアセンサーを備えるデバイス８が情報担体１にわたって動かされ、情報担体１は異なる位置において何度もエリアセンサー９と接触又は接近しなければならず、それにより、情報担体１の完全な情報が読み取り可能になる。この場合、情報担体１はエリアセンサー９よりも大きくすることができるので、情報担体１内に、より大量の情報を記憶することができる。エリアセンサーを有するデバイス８による情報の読み取りは、ワイピング動作を通じて実施できることが好ましい。
【０１１２】
図２１〜図２５は、情報担体の好ましい応用形態を示す。図２１によれば、情報担体は、エリアセンサーと相互作用する単純な情報担体として利用することができ、それにより、好ましくはイベントがトリガーされる。そのイベントは更に、限定はしないが、例えば、アプリケーション（プログラム）を起動及び／又は終了すること、数値及び／又はテキストを変更すること、グラフィックスを操作すること、データベースを変更することと、又は情報技術サービスへのアクセスすること等の動作をトリガーする。さらに、図２２によれば、例えば、デバイスの容量性タッチスクリーンの形をとるエリアセンサーを介して、デバイス自体のデータ処理システムのプログラムシーケンスに影響を及ぼすことができる。トリガーされる動作は一方向又は双方向とすることができ、すなわち、外部のデータ処理システムに作用する動作をトリガーすることができ、その後、外部のデータ処理システムもデータ処理デバイスに作用する（図２３を参照）。さらに、情報担体は署名付き情報担体（図２４を参照）として構成することができ、好ましくは、結果として、データ処理デバイス、データネットワーク及びデータ処理システムの間で相互作用が生じる。したがって、例えば、インターネットを介して、署名付き情報担体を照合し、検証することができる。本発明によるシステムを用いて、データ処理システムのアクセス及び／又は使用が有効にされる。このために、そのデバイスは、情報担体を用いて、データネットワークを介してデータ処理システムに接続される。データ処理システム内の署名を照合した後に、そのデバイスを介してアクセスが確立される。さらに、図２５によれば、情報担体は符号化することもでき、情報担体は特にデバイス、データネットワーク及びデータ処理システムと相互作用する。エリアセンサーを通じて、データ処理システムを利用できるようになる。このために、そのデバイスは、データネットワークを用いてデータ処理システムに接続される。データ処理システムにおいて情報担体の照合が肯定された後に、そのデバイスを介してアクセスが確立される。
【０１１３】
図２６〜図２８は、異なるデバイス８上での情報担体１の使用を示しており、全てのデバイス８がエリアセンサー９、詳細には容量性タッチスクリーンを有する。情報担体１は、実質的には、或る特定のエリア内に付着する少なくとも１つの導電層を有する基板を備え、その層がタッチスクリーンである。基板は担体であり、プラスチック、紙、厚紙、木製材料、複合材料、ガラス、セラミック、織物、革又はそれらの組み合わせからなることが好ましい。基板上の或る特定のエリア内に導電性タッチ構造体を付着させる。本発明によれば、タッチ構造体は、構造化されるようにして付着される導電性材料からなる層である。情報担体１は、転写フィルム法を用いて作製されることが好ましく、その方法を通じて、費用対効果の高い情報担体１を作製することができる。情報担体１は、例えば、クーポンとして使用することができる。クーポン、すなわち、情報担体１の受領者は、情報担体１を、エリアセンサーを有するデバイス８と接触させる。これは、例えば、ＰＣ（図２６を参照）、ラップトップ（図２７を参照）又はタブレットＰＣ（図２８を参照）とすることができる。容量性エリアセンサーは、詳細には、画定されたエリアのサブエリア内の電気静電容量及び／又は静電容量差を取得するための物理インターフェースである。エリアセンサーを含むデバイスは、例えば、スマートフォン、携帯電話、ディスプレイ、タブレットＰＣ、タブレットノートブック、タッチパッドデバイス、グラフィックスタブレット、テレビ、ＰＤＡ、ＭＰ３プレーヤー、トラックパッド及び／又は容量性入力デバイスを含む。例えば、そのようなエリアセンサーは、タッチスクリーン、タッチパッド又はグラフィックスタブレットとして入力デバイスの一体部分とすることもできる。タッチスクリーンは、触覚スクリーン又はタッチセンサースクリーンとしても知られている。そのような入力デバイスは、中でも、スマートフォン、ＰＤＡ、タッチディスプレイ又はノートブックにおいて使用される。情報担体１は、エリアセンサー９に接触させることができるか、又は近づけることができ、それにより、イベントをトリガーすることができる。そのイベントは、例えば、情報担体１がデバイス８上のプログラムをトリガーし、例えば、デバイス８がクーポンの受領者に或る特定のウェブページを表示することを伴うことができる。受領者は規定額を超える割り戻しを受け、この割り戻しを、ウェブページ上に提示される製品に対して使用することができる。有利には、例えば、ＰＣ、ラップトップ又はタブレットＰＣのようなデバイス８による情報担体１の相互作用又は認識は非常に迅速に行われる。
【０１１４】
図２９は、エリアセンサーにおける情報担体の動きを示す。情報担体１は或る特定のエリア内でエリアセンサー８と接触させることができるか、又は少なくともエリアセンサー９の近くに動かすことができる。情報担体１の基板上に、或る特定のエリア内に付着した少なくとも１つの導電層が存在し、導電層の少なくとも１つのエリアがサブエリアである。本発明の意味では、サブエリア（複数の場合もある）は、タッチ構造体も意味する。タッチ構造体すなわちそのサブエリアの形状、向き、量、位置合わせ、距離及び／又は位置は、情報を形成することが好ましく、それにより、少なくとも或る特定のエリアにおいてエリアセンサー９上に情報担体１を位置決めすることによって、又は情報担体１の少なくとも１つのエリアをエリアセンサー９に対して相対的に動かすことによって、少なくとも１つのイベントがトリガーされる。本発明の意味では、或る特定のエリアにおいてエリアセンサー９上に情報担体１を位置決めすることは、詳細には、情報担体１の１つのエリアがエリアセンサー９の少なくとも１つのエリアと接触していることを意味する。エリアセンサー９における情報担体１の好ましい動きは、図２９において矢印として示される。その動きは、エリアセンサー９上の全方向、例えば、水平及び垂直に行うことができ、例えば、曲線、円又は直線の形で実行することができる。接触又は接近によって、情報担体１とエリアセンサー９との間の容量性相互作用が達成され、情報担体１のタッチ構造体がエリアセンサー９に接続されるデータ処理システムにとって評価可能になり、それゆえ、情報担体１に関連付けられるイベントをトリガーすることができる。
【０１１５】
図３０〜図３４は、情報担体の好ましい応用形態を示す。情報担体１は多用途に配置し、使用することができる。情報担体１は異なる物品７に取り付けることができるか、又はその上に印刷することができる。例えば、情報担体１を、例えば、本（図３０を参照）のような物品７に取り付けることが好ましい。また、情報担体は本のカバーに取り付けることができるか、又は本内の異なる場所に取り付けることもでき、情報担体１は本の上に印刷することができるか、又はその上に異なる方法で取り付けることができる。その本に関心のある人は、エリアセンサーを有するデバイス、例えば、スマートフォンを情報担体１に接触させるか、又は近づけることができ、それにより、スマートフォン上でイベント、そして好ましくは動作がトリガーされる。その動作は、インターネット対応スマートフォンを、例えば、関心のある人がその本の無料サンプルを入手することができるウェブページに導くことができる。それゆえ、関心のある人は、その本を購入する前に、その本の内容について情報を得ることができる。その本に関心のある人又は購入予定者は、情報担体１を用いてその本の著者についての情報を見つけることもでき、この著者の更なる著作について知ることもできる。図３１では、情報担体１の更なる好ましい用途が示される。ここでは、情報担体１は別の物品７、すなわち、メニュー上に付着している。情報担体１はメニュー上に印刷することができるか、又は異なる方法でその上に取り付けることができる。レストランにおいて食事をするとき、そのメニューは訪問者に提示される。訪問者はメニューから料理を選択し、さらに、エリアセンサーを有するデバイス、例えば、自分のスマートフォンを用いて、メニュー上に付着する情報担体１を読み取ることができる。このために、その人はデバイスを情報担体１に接触させるか、又は近づけ、それにより、例えば、スマートフォンにおいてイベント及び動作がトリガーされる。その動作は、選択された料理についての更なる情報が訪問者に対して表示されることを伴うことができる。その情報は、材料、更なる物質又はアレルギー情報を含むことができる。また、適切な場合には、訪問者は、その料理を調理するためのレシピを視認することができ、そのレシピを自分のデバイスに保存することができ、それについて、例えば、レストランは料金を徴収することもできる。また、情報担体１を用いて、訪問者は、レストランにおいて行われるイベントについて知らせを受けることができる。有利には、訪問者が関心を示すイベントは、スマートフォン上のカレンダーアプリケーションに直接保存することができる。さらに、レストランの所在地は、有利にはスマートフォン上の住所管理アプリケーションに入力される。図３２は、情報担体１の更なる好ましい用途を示す。ここでは、情報担体１は、物品７、例えば、ＤＶＤカバーに付着する。有利には、情報担体１は、異なるパッケージングに印刷することができるか、又は異なる方法でその上に取り付けることができる。そのＤＶＤを取得することを望む関心のある人は、エリアセンサーを有するデバイス、例えば、自分のスマートフォンを情報担体１に接触させるか又は近づけることができる。情報担体１は、スマートフォン上のイベント又は動作をトリガーし、それにより、関心のある人はその作品についての情報を受信する。例えば、情報担体１を用いて、インターネット対応スマートフォンを、その関心のある人が、自分が購入したい映画の予告編を見ることができるウェブページに導くことができる。関心のある人は、俳優、利用可能な言語等についての情報も入手することができる。情報担体１が音楽ＣＤに付着する場合には、関心のある人は、スマートフォンを用いて情報担体１を読み取った後に、その音楽ＣＤの無料サンプルを聴取することができる。また、製品を購入した後にのみ、購入者が情報担体にアクセスできるように、情報担体１はパッケージング上に、又はパッケージング内に取り付けられることも有利である可能性がある。その後、情報担体１によって、購入者は、例えば、ウェブページを介して視認することができる更なる資料にアクセスすることができる。また、購入した映画の商品化した作品をウェブページ上で提供することができる。図３３は、情報担体１の更なる好ましい用途を示す。情報担体１は、物品７、例えば、チケットに取り付けられている。そのチケットは、例えば、コンサートチケット、劇場チケット又は映画チケットとすることができ、そのチケットを用いて、人が対応するショーに入場することができる。一方、情報担体１は、アクセス認証又は信憑性の証明書として用いることができ、情報担体１はリーダー又はエリアセンサーを有するデバイスによって読み取られ、検証が肯定された後にのみ人がショーに入場できるようになる。一方、情報担体１は、その人がエリアセンサーを有するデバイスを情報担体１に接触させるか、又は近づけるために用いることができ、そのデバイス上でイベント又は動作がトリガーされる。その動作は、例えば、人がコンサートの録画又は演奏者についての情報を視認することができるウェブページにアクセスすることを伴うことができる。さらに、情報担体１を用いて、コンサートの日付をカレンダーアプリケーションに自動的に入力することができ、会場の所在地を住所管理アプリケーションに自動的に入力することができる。したがって、例えば、スマートフォン上で、その人にその会場に行く道を表示することができる。図３４は、物品７に付着する情報担体１の更なる好ましい用途を示しており、その物品は日刊新聞とすることができる。情報担体１は新聞上に印刷することができるか、又は、例えば、その新聞に同封することができる。新聞の購入者は、エリアセンサーを有するデバイスを用いて情報担体１を読み取ることができ、それにより、例えば、購入者は更なる情報にアクセス可能である。購入者は、例えば、記事又はインタビューに関連する映像を見ることができるウェブページにアクセスする。さらに、情報担体１がクーポンとして機能するのも有利である。これは、新聞の購入者が情報担体１を読み取ることができ、おそらく、その新聞に関する試読版を受信することを意味する。また、第三者のための広告を含む更なる情報担体１が新聞に同封されるという点で、情報担体１は広告のために使用することもできる。例えば、新聞の購入者はスマートフォンを用いて情報担体１を読み取ることができ、第三者の製品が提供される第三者のウェブページにアクセスする。適切な場合には、第三者の商店の所在地がスマートフォンに直接記憶される。さらに、情報担体１を用いて、第三者の商品の売り出しを購入者に伝えることができる。購入予定者が新聞を購入する前に情報担体１を読み取ることができ、スマートフォンを用いて、その新聞に含まれる記事の概要を受信することも有利である可能性がある。新聞を購入する前に、キオスクを訪問した時点で既に購入者に新聞の抜粋を提供することができる。
【０１１６】
図３５〜図３８は紙幣上のセキュリティ機構としての情報担体の使用を示す。情報担体１は、例えば、銀行券、すなわち、紙幣内に実装することができる。ここでは、紙幣の紙が基板２として機能することができ、その上に情報担体１又はタッチ構造体３が付着する。したがって、情報担体は、紙幣の使用者には見ることができないセキュリティ機構としての役割を果たすことができる。しかしながら、紙幣上にタッチ構造体３を、使用者から完全に又は部分的に見ることができるように印刷し、それにより、その紙幣が多数のセキュリティ機構を含むことを使用者に示すことも好ましい可能性がある。したがって、視認可能なコピー防止手段として、これは抑止力としての役割を果たすことができる。情報担体１は、リーダー又はエリアセンサー９を用いて読み取ることができ、それにより、紙幣の信憑性が検証される。エリアセンサー９（例えば、タッチスクリーン）は、エリアセンサー９を有する電気デバイス８の一体部分とすることができる。さらに、例えば、視覚障害者は、エリアセンサーを含むデバイス８上の適切なリーダー又はアプリケーションを利用できるようになり、それにより、紙幣を検証し、更には数えることができるようになる。これに関連して、紙幣上の情報担体１は、その紙幣の金額を符号化することができる。情報担体１を有する紙幣はエリアセンサー９上に置かれるか、又はエリアセンサー上を滑らせることよって動かされ、それにより、情報担体１がエリアセンサー９によって読み取られ、データが更に（例えば、信憑性を検証するために）処理される。
【符号の説明】
【０１１７】
１  情報担体
２  基板
３  タッチ構造
４  導体経路
５  結合面
６  被覆層
７  物品
８  エリアセンサー付きデバイス
９  エリアセンサー
【図１】
0006016794.tif 000004
【図２】
0006016794.tif 000005
【図３】
0006016794.tif 000006
【図４】
0006016794.tif 000007
【図５】
0006016794.tif 000008
【図６】
0006016794.tif 000009
【図７】
0006016794.tif 000010
【図８】
0006016794.tif 000011
【図９】
0006016794.tif 000012
【図１０】
0006016794.tif 000013
【図１１】
0006016794.tif 000014
【図１２】
0006016794.tif 000015
【図１３】
0006016794.tif 000016
【図１４】
0006016794.tif 000017
【図１５】
0006016794.tif 000018
【図１６】
0006016794.tif 000019
【図１７】
0006016794.tif 000020
【図１８】
0006016794.tif 000021
【図１９】
0006016794.tif 000022
【図２０】
0006016794.tif 000023
【図２１】
0006016794.tif 000024
【図２２】
0006016794.tif 000025
【図２３】
0006016794.tif 000026
【図２４】
0006016794.tif 000027
【図２５】
0006016794.tif 000028
【図２６】
0006016794.tif 000029
【図２７】
0006016794.tif 000030
【図２８】
0006016794.tif 000031
【図２９】
0006016794.tif 000032
【図３０】
0006016794.tif 000033
【図３１】
0006016794.tif 000034
【図３２】
0006016794.tif 000035
【図３３】
0006016794.tif 000036
【図３４】
0006016794.tif 000037
【図３５】
0006016794.tif 000038
【図３６】
0006016794.tif 000039
【図３７】
0006016794.tif 000040
【図３８】
0006016794.tif 000041